(57)【要約】【課題】著作権に抵触することなく、コピーワンスコンテンツの情報を固定型の記録媒体からリムーバブル型の記録媒体へダビングした後、固定型の記録媒体に確実に視聴可能に復活させる。【解決手段】コピーワンスコンテンツの映像や音声等の情報をＨＤＤのユーザアクセス可能なコンテンツ記録領域に記録した後、ダビングする際に、該コンテンツの情報と識別情報を光ディスクに記録し、かつ該コンテンツの情報をＨＤＤのコンテンツ記録領域からユーザアクセス不可能なコンテンツ移動領域へ移動し、かつ該コンテンツの識別情報をダビング属性情報としてＨＤＤに記録する。ダビングしたコピーワンスコンテンツの情報を削除する際に、該コンテンツの情報を光ディスクから削除し、かつ該コンテンツとダビング属性情報が一致するコピーワンスコンテンツをコンテンツ移動領域から検索して、該コンテンツの情報をコンテンツ移動領域からコンテンツ記録領域へ移動する。【選択図】図３
2008117454.tif 000002
【特許請求の範囲】
【請求項１】
コピーワンスコンテンツの映像や音声等の情報をデジタル放送電波から取得して内蔵または外付けされたハードディスクにデジタル方式で記録し、前記ハードディスクに記録した前記コピーワンスコンテンツの情報を光ディスクにデジタル方式でダビングし、前記ハードディスクまたは前記光ディスクに記録された前記コピーワンスコンテンツの情報を再生し、リムーバブル型の外部メモリに対して情報を読み書きする記録再生装置において、
前記ハードディスクに、ユーザがアクセスできる第１の記録領域とアクセスできない第２の記録領域とを設け、
前記ハードディスク、前記光ディスク、または前記外部メモリに対する情報の読み書きと削除を制御する制御手段を備え、
前記制御手段は、前記光ディスクをフォーマットしたときまたは前記光ディスクが初めて装着されたときに、該光ディスクを識別するための識別情報を該光ディスクに割り当てて記録し、
前記コピーワンスコンテンツの情報をデジタル放送電波の転送レートのまま前記ハードディスクの前記第１の記録領域に記録し、
前記コピーワンスコンテンツの情報を前記第１の記録領域に記録した後、自動的に前記光ディスクにダビングする際に、またはユーザからの指示を受けて前記光ディスクにムーブする際に、該コピーワンスコンテンツの情報と該コピーワンスコンテンツを識別するための識別情報とを前記光ディスクに記録し、かつ該コピーワンスコンテンツの情報を前記ハードディスクの前記第１の記録領域から前記第２の記録領域へ移動し、かつ該コピーワンスコンテンツの前記識別情報とダビング先の前記光ディスクの前記識別情報とをダビング属性情報として前記ハードディスクと前記外部メモリの少なくとも一方に記録し、
前記光ディスクにダビングしたコピーワンスコンテンツの情報を削除する際に、該コピーワンスコンテンツの情報を該光ディスクから削除し、かつ該光ディスクから読み出した該コピーワンスコンテンツの前記ダビング属性情報と、前記ハードディスクと前記外部メモリの少なくとも一方から読み出した前記ダビング属性情報とに基づいて、該コピーワンスコンテンツと前記ダビング属性情報が一致するコピーワンスコンテンツを前記ハードディスクの前記第２の記録領域から検索し、一致するコピーワンスコンテンツが有れば、該コピーワンスコンテンツの情報を前記第２の記録領域から前記第１の記録領域へ移動し、かつ該コピーワンスコンテンツの前記識別情報を前記光ディスクから削除し、かつ該コピーワンスコンテンツの前記ダビング属性情報を前記ハードディスクと前記外部メモリから削除することを特徴とする記録再生装置。
【請求項２】
コピーワンスコンテンツの情報を外部から取得して固定型の第１の記録媒体にデジタル方式で記録し、前記第１の記録媒体に記録したコピーワンスコンテンツの情報をリムーバブル型の第２の記録媒体にデジタル方式でダビングし、前記第１または第２の記録媒体に記録されたコピーワンスコンテンツの情報を再生する記録再生装置において、
前記第１の記録媒体に、ユーザがアクセスできる第１の記録領域とアクセスできない第２の記録領域とを設け、
前記第１または第２の記録媒体に対する情報の読み書きと削除を制御する制御手段を備え、
前記制御手段は、外部から取得したコピーワンスコンテンツの情報を前記第１の記録媒体の前記第１の記録領域に記録し、
前記第１の記録領域に記録したコピーワンスコンテンツの情報を前記第２の記録媒体にダビングする際に、該コピーワンスコンテンツの情報と該コピーワンスコンテンツを識別するための識別情報とを前記第２の記録媒体に記録し、かつ該コピーワンスコンテンツの情報を前記第１の記録媒体の前記第１の記録領域から前記第２の記録領域へ移動し、かつ該コピーワンスコンテンツの前記識別情報をダビング属性情報として前記第１の記録媒体に記録し、
前記第２の記録媒体にダビングしたコピーワンスコンテンツの情報を削除する際に、該コピーワンスコンテンツの情報を該第２の記録媒体から削除し、かつ該コピーワンスコンテンツと前記ダビング属性情報が一致するコピーワンスコンテンツを前記第１の記録媒体の前記第２の記録領域から検索し、一致するコピーワンスコンテンツが有れば、該コピーワンスコンテンツの情報を前記第２の記録領域から前記第１の記録領域へ移動することを特徴とする記録再生装置。
【請求項３】
請求項２に記載の記録再生装置において、
前記制御手段は、前記第２の記録媒体に対して該第２の記録媒体を識別するための識別情報を割り当てて記録し、
前記第１の記録媒体の前記第１の記録領域に記録したコピーワンスコンテンツの情報を前記第２の記録媒体にダビングする際に、該コピーワンスコンテンツの前記識別情報とダビング先の前記第２の記録媒体の前記識別情報とをダビング属性情報として前記第１の記録媒体に記録することを特徴とする記録再生装置。
【請求項４】
請求項２または請求項３に記載の記録再生装置において、
前記制御手段は、前記第１の記録媒体の前記第１の記録領域に記録したコピーワンスコンテンツの情報を前記第２の記録媒体にダビングする際に、前記ダビング属性情報をリムーバブル型の第３の記録媒体に記録することを特徴とする記録再生装置。
【発明の詳細な説明】
【技術分野】
【０００１】
本発明は、コピーワンスコンテンツの映像や音声等の情報を一の記録媒体に記録した後、他の記録媒体にダビングする記録再生装置に関するものである。
【背景技術】
【０００２】
記録再生装置には、テレビ番組等のコンテンツの映像や音声等の情報をデジタル放送電波から取得して、ハードディスク等の固定型の記録媒体にデジタル方式で記録し、該コンテンツの情報をＤＶＤ（Digital Versatile Disk）や他の光ディスク等のリムーバブル型の記録媒体にデジタル方式でダビングし、該記録媒体に記録されたコンテンツの情報を再生するものがある。また、例えば下記の特許文献１等に開示されているように、著作権保護のため、１回だけコピーを許可する制限が付されたコピーワンスコンテンツの情報を固定型の記録媒体に記録した後リムーバブル型の記録媒体にダビングする際に、該コピーワンスコンテンツの情報を固定型の記録媒体からリムーバブル型の記録媒体へ移動させるムーブ機能を有したものもある。特許文献１では、コピーワンスコンテンツの情報を固定型の記録媒体からリムーバブル型の記録媒体へ移動するときに、該コピーワンスコンテンツの情報を固定型の記録媒体から削除して、該コピーワンスコンテンツの情報と同じ容量でかつ著作権管理情報等を含んだ仮想ファイルを固定型の記録媒体に作成し、コピーワンスコンテンツの情報をリムーバブル型の記録媒体から固定型の記録媒体へ戻すときに、該コピーワンスコンテンツの情報を固定型の記録媒体の仮想ファイルに記録して、該コピーワンスコンテンツの情報の連続性を保っている。
【０００３】
【特許文献１】特開２００５−３４８０９１号公報
【発明の開示】
【発明が解決しようとする課題】
【０００４】
上述した特許文献１のような従来の記録再生装置では、コピーワンスコンテンツの情報を固定型の記録媒体からリムーバブル型の記録媒体へダビングする際に、該コピーワンスコンテンツの情報を固定型の記録媒体から削除するので、その後リムーバブル型の記録媒体にダビングしたコピーワンスコンテンツの情報が劣化したり削除されたりすると、該コピーワンスコンテンツの情報を視聴できなくなる。
【０００５】
本発明は、上述した問題点を解決するものであって、その課題とするところは、著作権に抵触することなく、コピーワンスコンテンツの情報を固定型の記録媒体からリムーバブル型の記録媒体へダビングした後、固定型の記録媒体に確実に視聴可能に復活させることができる記録再生装置を提供することにある。
【課題を解決するための手段】
【０００６】
本発明では、コピーワンスコンテンツの情報を外部から取得して固定型の第１の記録媒体にデジタル方式で記録し、第１の記録媒体に記録したコピーワンスコンテンツの情報をリムーバブル型の第２の記録媒体にデジタル方式でダビングし、第１または第２の記録媒体に記録されたコピーワンスコンテンツの情報を再生する記録再生装置において、第１の記録媒体に、ユーザがアクセスできる第１の記録領域とアクセスできない第２の記録領域とを設け、第１または第２の記録媒体に対する情報の読み書きと削除を制御する制御手段を備え、制御手段は、外部から取得したコピーワンスコンテンツの情報を第１の記録媒体の第１の記録領域に記録し、第１の記録領域に記録したコピーワンスコンテンツの情報を第２の記録媒体にダビングする際に、該コピーワンスコンテンツの情報と該コピーワンスコンテンツを識別するための識別情報とを第２の記録媒体に記録し、かつ該コピーワンスコンテンツの情報を第１の記録媒体の第１の記録領域から第２の記録領域へ移動し、かつ該コピーワンスコンテンツの識別情報をダビング属性情報として第１の記録媒体に記録し、第２の記録媒体にダビングしたコピーワンスコンテンツの情報を削除する際に、該コピーワンスコンテンツの情報を該第２の記録媒体から削除し、かつ該コピーワンスコンテンツとダビング属性情報が一致するコピーワンスコンテンツを第１の記録媒体の第２の記録領域から検索し、一致するコピーワンスコンテンツが有れば、該コピーワンスコンテンツの情報を第２の記録領域から第１の記録領域へ移動する。
【０００７】
このようにすると、コピーワンスコンテンツの情報を固定型の第１の記録媒体からリムーバブル型の第２の記録媒体へダビングした後、該第２の記録媒体に記録されたコピーワンスコンテンツの情報が劣化しても、該コピーワンスコンテンツの情報を第２の記録媒体から削除することで、同一のコピーワンスコンテンツの情報が第１の記録媒体の第２の記録領域から第１の記録領域に移動されて、該コピーワンスコンテンツの情報を第１の記録媒体に確実に視聴可能に復活させることができる。また、ユーザがアクセスして視聴可能なコピーワンスコンテンツの情報は、第１の記録媒体の第１の記録領域または第２の記録媒体に記録されたものだけというように常に１つになるので、コピーワンスコンテンツの著作権に抵触することはなく、コピーワンスコンテンツの情報が不正に複数コピーされるのを防止することができる。
【０００８】
また、本発明の一実施形態では、上記記録再生装置において、制御手段は、第２の記録媒体に対して該第２の記録媒体を識別するための識別情報を割り当てて記録し、第１の記録媒体の第１の記録領域に記録したコピーワンスコンテンツの情報を第２の記録媒体にダビングする際に、該コピーワンスコンテンツの識別情報とダビング先の第２の記録媒体の識別情報とをダビング属性情報として第１の記録媒体に記録する。
【０００９】
このようにすると、第２の記録媒体から削除するコピーワンスコンテンツと第１の記録媒体の第２記録領域に移動したコピーワンスコンテンツの、それぞれの識別情報とダビング先の識別情報の一致を確認して、同一性をより厳しく正確に判断することができる。
【００１０】
また、本発明の一実施形態では、上記記録再生装置において、制御手段は、第１の記録媒体の第１の記録領域に記録したコピーワンスコンテンツの情報を第２の記録媒体にダビングする際に、ダビング属性情報をリムーバブル型の第３の記録媒体に記録する。
【００１１】
このようにすると、第２の記録媒体に記録された削除するコピーワンスコンテンツのダビング属性情報と、第１の記録媒体および第３の記録媒体に記録されたダビング属性情報の少なくとも一方または両方の一致を確認して、第２の記録媒体から削除するコピーワンスコンテンツと第１の記録媒体の第２記録領域に移動したコピーワンスコンテンツの同一性を判断することができる。また、第２の記録媒体に記録されたダビング属性情報と、第３の記録媒体に記録されたダビング属性情報の一致を確認して、コピーワンスコンテンツの同一性を判断する場合は、第２の記録媒体から削除するコピーワンスコンテンツのダビング属性情報を記録した第３の記録媒体を装着したときにのみ、同一のコピーワンスコンテンツの情報を第１の記録媒体に確実に視聴可能に復活させることができる。つまり、第３の記録媒体がコピーワンスコンテンツの第１の記録媒体への復活の鍵となるので、該第３の記録媒体を有していない他人によって勝手にコピーワンスコンテンツが第１の記録媒体に復活させられて視聴されるのを防止し、該コピーワンスコンテンツの機密性を高めることが可能となる。また、第２の記録媒体に記録されたダビング属性情報と、第１の記録媒体または第３の記録媒体に記録されたダビング属性情報のいずれかの一致を確認して、コピーワンスコンテンツの同一性を判断する場合は、第１の記録媒体と第３の記録媒体に記録されたダビング属性情報の一方に消失、改竄、または破壊等の不具合が生じても、第２の記録媒体から削除するコピーワンスコンテンツと同一のコピーワンスコンテンツの情報を第１の記録媒体に確実に視聴可能に復活させることができる。さらに、第２の記録媒体と第１の記録媒体と第３の記録媒体に記録されたダビング属性情報の全ての一致を確認して、コピーワンスコンテンツの同一性を判断する場合は、該判断をより一層厳重でかつ正確なものにすることができる。
【００１２】
さらに、本発明の典型的な実施形態では、コピーワンスコンテンツの映像や音声等の情報をデジタル放送電波から取得して内蔵または外付けされたハードディスクにデジタル方式で記録し、ハードディスクに記録したコピーワンスコンテンツの情報を光ディスクにデジタル方式でダビングし、ハードディスクまたは光ディスクに記録されたコピーワンスコンテンツの情報を再生し、リムーバブル型の外部メモリに対して情報を読み書きする記録再生装置において、ハードディスクに、ユーザがアクセスできる第１の記録領域とアクセスできない第２の記録領域とを設け、ハードディスク、光ディスク、または外部メモリに対する情報の読み書きと削除を制御する制御手段を備え、制御手段は、光ディスクをフォーマットしたときまたは光ディスクが初めて装着されたときに、該光ディスクを識別するための識別情報を該光ディスクに割り当てて記録し、コピーワンスコンテンツの情報をデジタル放送電波の転送レートのままハードディスクの第１の記録領域に記録し、コピーワンスコンテンツの情報を第１の記録領域に記録した後、自動的に光ディスクにダビングする際に、またはユーザからの指示を受けて光ディスクにムーブする際に、該コピーワンスコンテンツの情報と該コピーワンスコンテンツを識別するための識別情報とを光ディスクに記録し、かつ該コピーワンスコンテンツの情報をハードディスクの第１の記録領域から第２の記録領域へ移動し、かつ該コピーワンスコンテンツの識別情報とダビング先の光ディスクの識別情報とをダビング属性情報としてハードディスクまたは外部メモリの少なくとも一方に記録し、光ディスクにダビングしたコピーワンスコンテンツの情報を削除する際に、該コピーワンスコンテンツの情報を該光ディスクから削除し、かつ該光ディスクから読み出した該コピーワンスコンテンツのダビング属性情報と、ハードディスクと外部メモリの少なくとも一方から読み出したダビング属性情報とに基づいて、該コピーワンスコンテンツとダビング属性情報が一致するコピーワンスコンテンツをハードディスクの第２の記録領域から検索し、一致するコピーワンスコンテンツが有れば、該コピーワンスコンテンツの情報を第２の記録領域から第１の記録領域へ移動し、かつ該コピーワンスコンテンツの識別情報を光ディスクから削除し、かつ該コピーワンスコンテンツのダビング属性情報をハードディスクと外部メモリから削除する。
【００１３】
このようにすると、コピーワンスコンテンツの情報をハードディスクから光ディスクへダビングした後、該コピーワンスコンテンツの情報を光ディスクから削除することで、同一のコピーワンスコンテンツの情報がハードディスクの第２の記録領域から第１の記録領域に移動されて、該コピーワンスコンテンツの情報をハードディスクに確実に視聴可能に復活させることができる。また、ユーザがアクセスして視聴可能なコピーワンスコンテンツの情報は常に１つになるので、コピーワンスコンテンツの著作権に抵触することはなく、コピーワンスコンテンツの情報が不正に複数コピーされるのを防止することができる。また、光ディスクから削除するコピーワンスコンテンツとハードディスクの第２記録領域に移動したコピーワンスコンテンツのそれぞれの識別情報とダビング先の識別情報の一致を確認して、同一性をより厳しく正確に判断することができる。さらに、光ディスクに記録された削除するコピーワンスコンテンツのダビング属性情報と、ハードディスクおよび外部メモリに記録されたダビング属性情報の少なくとも一方または両方の一致を確認して、光ディスクから削除するコピーワンスコンテンツとハードディスクの第２記録領域に移動したコピーワンスコンテンツの同一性を判断することができる。
【発明の効果】
【００１４】
本発明によれば、コピーワンスコンテンツの情報を固定型の第１の記録媒体からリムーバブル型の第２の記録媒体へダビングした後、第２の記録媒体から削除することで、著作権に抵触することなく、該コピーワンスコンテンツの情報を第１の記録媒体に確実に視聴可能に復活させることができる。
【発明を実施するための最良の形態】
【００１５】
図１は、本発明の実施形態に係る記録再生装置１０のブロック図である。記録再生装置１０は、ＨＤＤ（Hard Disk Drive）レコーダと光ディスクレコーダと外部メモリリーダライタの機能を有する複合型のデジタルＡＶ機器である。制御部１は、ＣＰＵとＲＯＭやＲＡＭ等のメモリとタイマ等から構成されている。メモリ２は、ＲＯＭ、ＲＡＭ、および不揮発性メモリ等から構成されている。制御部１は、内蔵するメモリとメモリ２に記憶されたプログラムとデータに基づいて、記録再生装置１０の各部を制御する。また、制御部１は、内蔵するタイマにより日時をカウントする。制御部１は、本発明における制御手段の一実施形態を構成する。
【００１６】
信号処理部３は、ＭＰＥＧ（Moving Picture Experts Group）符号化・復号回路およびデジタル・アナログ変換回路等から構成されている。チューナ４は、放送局から放送された地上アナログ放送、地上デジタル放送、ＢＳデジタル放送、ＣＳデジタル放送、およびこれらデジタル放送に含まれるハイビジョン放送等の各種放送電波を、アンテナ１３を介して受信する回路等から構成されている。チューナ４は、受信した放送電波から各チャンネルのテレビ番組のコンテンツの映像や音声等の情報（コンテンツの実体を示す情報）を抽出して、信号処理部３へ出力する。外部から取得するコンテンツの情報としては、上記放送電波から取得したコンテンツの情報以外に、例えば記録再生装置１０とケーブル等で接続された他のＡＶ機器から送信されるコンテンツの情報等もある。信号処理部３は、チューナ４等から入力されたコンテンツの情報を処理して、アナログの映像信号と音声信号を生成し、テレビ（テレビジョン受像機）４０へ出力する。
【００１７】
ＨＤＤ５は、内蔵する磁気ディスクに対してコンテンツの情報等を読み書きする。光ディスクドライブ６は、ＤＶＤ（Digital Versatile Disk）やブルーレイディスク（Blu-ray Disc；登録商標）等の光ディスク２０に対してコンテンツの情報等を読み書きする。メモリインタフェイス７は、ＳＤ（Secure Digital）メモリカードやＵＳＢ（Universal
Serial Bus）メモリ等の外部メモリ３０に対してコンテンツの情報等を読み書きする。制御部１は、ＨＤＤ５、光ディスク２０、または外部メモリ３０に対する情報の読み書きと削除を制御する。ＨＤＤ５、光ディスクドライブ６、およびメモリインタフェイス７は、記録再生装置１０の本体に内蔵されている。ＨＤＤ５は、本発明における固定型の第１の記録媒体の一実施形態を構成する。光ディスク２０は、本発明におけるリムーバブル型の第２の記録媒体の一実施形態を構成する。外部メモリ３０は、本発明におけるリムーバブル型の第３の記録媒体の一実施形態を構成する。
【００１８】
外部メモリ３０に対して読み書きする情報は、各種のメモリ規格に沿ったデジタル情報である。ＨＤＤ５や光ディスク２０に対して読み書きするコンテンツの情報は、ＭＰＥＧ形式で圧縮されたデジタル情報である。制御部１は、ＨＤＤ５や光ディスク２０から読み出したコンテンツの圧縮されたデジタル情報を、信号処理部３により復号してアナログの映像信号と音声信号を再生し、テレビ４０へ出力する。また、制御部１は、放送電波等から取得したコンテンツのデジタル情報またはアナログ情報を、信号処理部３により処理してＭＰＥＧ形式で圧縮したデジタル情報を生成し、ＨＤＤ５にデジタル方式で記録する。また、制御部１は、ＨＤＤ５からコンテンツの情報を読み出して、信号処理部３により処理し、光ディスクドライブ６により光ディスク２０にデジタル方式でダビングする。また、制御部１は、ＨＤＤ５や光ディスク２０や外部メモリ３０に記録された情報を削除する。さらに、制御部１は、ＨＤＤ５や光ディスク２０をフォーマットする。
【００１９】
テレビ４０は、記録再生装置１０とケーブル等で接続されている。テレビ４０は、信号処理部３から入力された映像信号に基づく映像をディスプレイに表示し、信号処理部３から入力された音声信号に基づく音声をスピーカから出力する。表示部８には、記録再生装置１０の動作状態や時間等が表示される。操作部９は、記録再生装置１０の本体前面に設けられた各種のキー等から構成されている。リモコン（リモートコントローラ）１２には、各種のキーが設けられている。リモコン受信部１１は、リモコン１２から送信された信号を受信する。リモコン１２や操作部９のキーを操作することで、記録再生装置１０に各種の動作指示や設定情報を入力することができる。
【００２０】
図２は、ＨＤＤ５の記録領域を示す図である。ＨＤＤ５には、コンテンツ記録領域５ｂとコンテンツ移動領域５ｃが設けられている。ＨＤＤ５の全記録領域５ａの大半をコンテンツ記録領域５ｂが占め、一部（例えば全記録領域５ａの５％程度）をコンテンツ移動領域５ｃが占めている。コンテンツ記録領域５ｂは、ユーザがリモコン１２のキー操作等の通常の方法によりアクセスすることができる領域である。コンテンツ移動領域５ｃは、ユーザが通常の方法によりアクセスすることができない領域である。制御部１は、タイマ録画の開始日時になったときまたはリモコン１２等のキー操作により録画を指示されたとき等に、外部から取得したコンテンツの情報をＨＤＤ５のコンテンツ記録領域５ｂに記録する。例えばデジタルハイビジョン放送のテレビ番組等のコピーワンスコンテンツの情報は、ＴＳ（Transport  Stream）方式のデジタルデータである。このコピーワンスコンテンツの情報をデジタル放送電波の転送レートのまま、即ちＴＳ方式のままＨＤＤ５のコンテンツ記録領域５ｂに記録することが可能である。ＴＳ方式のまま録画したコピーワンスコンテンツの情報の画質は最も高く、ＴＳ画質という。コンテンツ記録領域５ｂは本発明における第１の記録領域の一実施形態を構成し、コンテンツ移動領域５ｃは本発明における第２の記録領域の一実施形態を構成する。
【００２１】
図３は、記録再生装置１０で実行されるコンテンツオートダビング処理の手順を示すフローチャートである。コンテンツオートダビング処理は、コピーワンスコンテンツの情報をタイマ録画によりＨＤＤ５に録画した後、光ディスク２０に自動的にダビングする処理である。制御部１は、例えばデジタルハイビジョン放送のテレビ番組のコピーワンスコンテンツの情報をＨＤＤ５のコンテンツ記録領域５ｂにＴＳ方式で正常に録画し終えると（ステップＳ１）、該コピーワンスコンテンツのＨＤＤ５から光ディスク２０へのオートダビングを実行する（ステップＳ２）。
【００２２】
先ず、制御部１は、ダビング対象のコピーワンスコンテンツの情報と、該コピーワンスコンテンツを識別するための識別情報とを、光ディスクドライブ６によりＤＶＤ−ＲＷ等の書き換え型の光ディスク２０にＰＳ（Program Stream）方式で記録する（ステップＳ３）。このとき、制御部１は、コピーワンスコンテンツの情報を放送電波の転送レートより低い転送レートで光ディスク２０に設けられたコンテンツ記録領域に記録する。このため、光ディスク２０に記録されたコピーワンスコンテンツの情報の画質はＴＳ画質より低くなる。また、制御部１は、コピーワンスコンテンツの識別情報を光ディスク２０に設けられた属性記録領域に記録する。これ以外に、コピーワンスコンテンツの識別情報の記録場所を、光ディスク２０のコンテンツ記録領域にしてもよい。コピーワンスコンテンツの識別情報は、例えば該コンテンツのタイトル、該コンテンツのＨＤＤ５に対する初回録画日時、オートダビングの実行日時、およびオートダビングの実行ユーザの少なくとも１つである。タイトルは、コピーワンスコンテンツの情報に含まれている。初回録画日時とオートダビングの実行日時は、制御部１が内蔵するタイマにより検出して、メモリ２に記録する。オートダビングの実行ユーザは、ユーザがリモコン１２等のキー操作により予め入力して、メモリ２に登録する。
【００２３】
次に、制御部１は、ＨＤＤ５においてダビング対象のコピーワンスコンテンツの情報を、コンテンツ記録領域５ｂからコンテンツ移動領域５ｃへ移動させる（ステップＳ４）。このとき、制御部１は、ダビング対象のコピーワンスコンテンツの情報を、コンテンツ記録領域５ｂから削除しつつ、ＴＳ画質でコンテンツ移動領域５ｃに記録する。そして、制御部１は、光ディスク２０に記録したものと同一のコピーワンスコンテンツの識別情報等から成るダビング属性情報をＨＤＤ５に記録して（ステップＳ５）、処理を終了する。ステップＳ５で制御部１は、ダビング属性情報に対応するコピーワンスコンテンツの情報のコンテンツ移動領域５ｃにおける記録位置を示す情報（アドレス）を、ダビング属性情報に含める。ダビング属性情報は、ＨＤＤ５のコンテンツ記録領域５ｂに記録してもよいし、コンテンツ移動領域５ｃに記録してもよい。このようにコンテンツオートダビング処理を終了すると、光ディスク２０とＨＤＤ５のコンテンツ移動領域５ｃに同一のコピーワンスコンテンツの情報が記録された状態となる。然るに、ユーザがコンテンツ移動領域５ｃに記録されたコピーワンスコンテンツの情報にアクセスすることができないため、ユーザが視聴できるのは、光ディスク２０にダビングしたコピーワンスコンテンツの情報だけである。
【００２４】
図４は、記録再生装置１０で実行されるコンテンツムーブ処理の手順を示すフローチャートである。コンテンツムーブ処理は、コピーワンスコンテンツの情報をＨＤＤ５に録画した後、ユーザからの指示を受けて光ディスク２０にムーブ、即ちマニュアルダビングする処理である。リモコン１２等のキー操作により、ユーザからＨＤＤ５に録画されたコピーワンスコンテンツを光ディスク２０へムーブする指示を受けると、制御部１は該ムーブを実行する（ステップＳ１１）。先ず、制御部１は、ムーブ対象のコピーワンスコンテンツの情報と、該コピーワンスコンテンツの識別情報とを、光ディスクドライブ６により光ディスク２０に記録する（ステップＳ１２）。このとき、制御部１は、コピーワンスコンテンツの情報を放送電波の転送レートより低い転送レートで、光ディスク２０のコンテンツ記録領域に記録する。また、制御部１は、コピーワンスコンテンツの識別情報を光ディスク２０の属性記録領域に記録する。コピーワンスコンテンツの識別情報は、例えば該コンテンツのタイトル、該コンテンツのＨＤＤ５に対する初回録画日時、オートダビングの実行日時、およびオートダビングの実行ユーザの少なくとも１つである。
【００２５】
次に、制御部１は、ＨＤＤ５においてムーブ対象のコピーワンスコンテンツの情報を、コンテンツ記録領域５ｂからコンテンツ移動領域５ｃへ移動させる（ステップＳ１３）。このとき、制御部１は、ムーブ対象のコピーワンスコンテンツの情報を、コンテンツ記録領域５ｂから削除しつつ、ＴＳ画質でコンテンツ移動領域５ｃに記録する。そして、制御部１は、光ディスク２０に記録したものと同一のコピーワンスコンテンツの識別情報等から成るダビング属性情報をＨＤＤ５に記録して（ステップＳ１４）、処理を終了する。ステップＳ１４で制御部１は、ダビング属性情報に対応するコピーワンスコンテンツの情報のコンテンツ移動領域５ｃにおける記録位置を示す情報を、ダビング属性情報に含める。このようにコンテンツムーブ処理を終了すると、光ディスク２０とＨＤＤ５のコンテンツ移動領域５ｃに同一のコピーワンスコンテンツの情報が記録された状態となるが、ユーザが視聴できるのは、光ディスク２０にムーブしたコピーワンスコンテンツの情報だけである。
【００２６】
図５は、記録再生装置１０で実行されるコンテンツ復活処理の手順を示すフローチャートである。コンテンツ復活処理は、コピーワンスコンテンツの情報を図３または図４の処理で光ディスク２０にダビングした後、光ディスク２０から削除する際にＨＤＤ５に復活させる処理である。リモコン１２等のキー操作により、ユーザから光ディスク２０に録画されたコンテンツを削除する指示を受けると、制御部１は該削除を実行する（ステップＳ２１）。先ず、制御部１は、削除対象のコンテンツのダビング属性情報を光ディスク２０から読み出す（ステップＳ２２）。このとき、削除対象のコンテンツが記録再生装置１０でダビングしたコピーワンスコンテンツでない場合等は、ダビング属性情報を光ディスク２０から読み出せないため（ステップＳ２３：ＮＯ）、制御部１は、削除対象のコンテンツの情報を光ディスク２０から削除して（ステップＳ２４）、処理を終了する。
【００２７】
上記に対して、削除対象のコンテンツが記録再生装置１０でダビングしたコピーワンスコンテンツである場合は、ダビング属性情報を光ディスク２０から読み出せるため（ステップＳ２３：ＹＥＳ）、制御部１は、読み出したダビング属性情報をメモリ２に一時的に記憶し、削除対象のコピーワンスコンテンツの情報とダビング属性情報とを光ディスク２０から削除する（ステップＳ２５）。次に、制御部１は、削除対象のコピーワンスコンテンツとダビング属性情報が一致する復活対象のコピーワンスコンテンツをＨＤＤ５のコンテンツ移動領域５ｃから検索する（ステップＳ２６）。このとき、制御部１は、ＨＤＤ５からダビング属性情報を読み出して、該ダビング属性情報と光ディスク２０から読み出した削除対象のコピーワンスコンテンツのダビング属性情報とが一致するか否かを確認する。そして、ダビング属性情報が一致しなければ、制御部１は、復活対象のコピーワンスコンテンツがＨＤＤ５のコンテンツ移動領域５ｃに無いと判断し（ステップＳ２７：ＮＯ）、処理を終了する。
【００２８】
一方、ＨＤＤ５と光ディスク２０から読み出したダビング属性情報が一致すると、制御部１は、光ディスク２０から削除したコピーワンスコンテンツと同一の復活対象のコピーワンスコンテンツがＨＤＤ５のコンテンツ移動領域５ｃに有ると判断する（ステップＳ２７：ＹＥＳ）。そして、制御部１は、該ＨＤＤ５から読み出したダビング属性情報に含まれる復活対象のコピーワンスコンテンツの情報の記録位置情報に基づいて、ＨＤＤ５において復活対象のコピーワンスコンテンツの情報をコンテンツ移動領域５ｃからコンテンツ記録領域５ｂへ移動する（ステップＳ２８）。このとき、制御部１は、復活対象のコピーワンスコンテンツの情報を、コンテンツ移動領域５ｃから削除しつつ、ＴＳ画質でコンテンツ記録領域５ｂに記録する。さらに、制御部１は、復活対象のコピーワンスコンテンツのダビング属性情報をＨＤＤ５から削除し（ステップＳ２９）、処理を終了する。このようにコンテンツ復活処理を終了すると、光ディスク２０から削除したコピーワンスコンテンツの情報と同一のコピーワンスコンテンツの情報が、ＨＤＤ５のコンテンツ記録領域５ｂに復活する。このため、ユーザがリモコン１２等のキー操作により、該復活したコピーワンスコンテンツの情報を再生して視聴できるようになる。然も、復活したコピーワンスコンテンツの情報の画質はＴＳ画質であり、光ディスク２０から削除したコピーワンスコンテンツの情報の画質より高い。
【００２９】
以上では、光ディスク２０から削除したコピーワンスコンテンツと、ＨＤＤ５のダビング移動領域５ｃに移動したコピーワンスコンテンツの同一性を判断するために、コピーワンスコンテンツの識別情報の一致を確認した例を挙げたが、これに加えて、コピーワンスコンテンツのダビング先である光ディスク２０を識別するための識別情報の一致を確認するようにしてもよい。この場合、コピーワンスコンテンツをダビングした光ディスク２０を全て種類に関係なく確実に管理できるように、記録再生装置１０で該光ディスク２０に識別情報を記録するのが好ましい。
【００３０】
図６は、記録再生装置１０で実行される光ディスク識別情報記録処理の手順を示すフローチャートである。光ディスク識別情報記録処理は、記録再生装置１０で取り扱った光ディスク２０に対して、該光ディスク２０を識別するための識別情報を記録する処理である。ユーザにより光ディスク２０が光ディスクドライブ６に装着されたとき、または光ディスクドライブ６により光ディスク２０をフォーマットしたときに、制御部１は、光ディスクドライブ６に備わる図示しない光ピックアップやセンサ等により、光ディスク２０を検出する（ステップＳ３１）。そして、制御部１は、光ディスクドライブ６により光ディスク２０から該光ディスク２０の識別情報を読み出す（ステップＳ３２）。このとき、光ディスク２０が初めて装着されたものやフォーマットされた直後のものである場合は、光ディスク２０に識別情報が記録されていない。このため、制御部１は、光ディスク２０の識別情報を読み出すことができず（ステップＳ３３：ＮＯ）、該光ディスク２０に対して識別情報を割り当てて記録し（ステップＳ３４）、処理を終了する。光ディスク２０の識別情報は、例えばディスク番号またはコード等である。制御部１は、例えばディスク番号を重複しないように、光ディスク２０に対して順番に割り当てて、該光ディスク２０の属性記録領域に記録するとともに、メモリ２に記録する。一方、光ディスク２０が初めて装着されたものやフォーマットされた直後のものでない場合は、上記のようにして光ディスク２０に識別情報が記録されている。このため、制御部１は、光ディスク２０の識別情報を読み出すことができ（ステップＳ３３：ＹＥＳ）、該識別情報をメモリ２に一時的に記録して、処理を終了する。
【００３１】
上記のように光ディスク２０の識別情報を光ディスク２０に記録した後、図３のコンテンツオートダビング処理または図４のコンテンツムーブ処理を実行する際に、制御部１はステップＳ５またはステップＳ１４で、ダビングしたコピーワンスコンテンツの識別情報とダビング先の光ディスク２０の識別情報等をダビング属性情報としてＨＤＤ５に記録する。この場合も、ダビング属性情報に対応するコピーワンスコンテンツの情報のコンテンツ移動領域５ｃにおける記録位置を示す情報を、ダビング属性情報に含める。
【００３２】
さらにその後、図５のコンテンツ復活処理を実行する際に、制御部１はステップＳ２２で、光ディスク２０から削除対象のコンテンツのダビング属性情報として、該コンテンツの識別情報と該光ディスク２０の識別情報とを読み出す。そして、削除対象のコンテンツが記録再生装置１０でダビングしたコピーワンスコンテンツであるため、該コピーワンスコンテンツの識別情報と光ディスク２０の識別情報とが読み出せると（ステップＳ２３：ＹＥＳ）、制御部１は、該識別情報をメモリ２に一時的に記憶し、光ディスク２０から削除対象のコピーワンスコンテンツの情報と識別情報を削除する（ステップＳ２５）。さらに、制御部１は、削除対象のコピーワンスコンテンツとダビング属性情報が一致する復活対象のコピーワンスコンテンツをＨＤＤ５のコンテンツ移動領域５ｃから検索する（ステップＳ２６）。このとき、制御部１は、ＨＤＤ５と光ディスク２０から読み出したコピーワンスコンテンツの識別情報および光ディスク２０の識別情報がそれぞれ一致するか否かを確認する。そして、コピーワンスコンテンツの識別情報および光ディスク２０の識別情報がそれぞれ一致すると、制御部１は、光ディスク２０から削除したコピーワンスコンテンツと同一の復活対象のコピーワンスコンテンツがＨＤＤ５のコンテンツ移動領域５ｃに有ると判断する（ステップＳ２７：ＹＥＳ）。この後、制御部１は、ＨＤＤ５において復活対象のコピーワンスコンテンツの情報をコンテンツ移動領域５ｃからコンテンツ記録領域５ｂへ移動し（ステップＳ２８）、復活対象のコピーワンスコンテンツのダビング属性情報、即ちコピーワンスコンテンツの識別情報と光ディスク２０の識別情報をＨＤＤ５から削除する（ステップＳ２９）。
【００３３】
以上では、コピーワンスコンテンツのダビング属性情報をダビング元でかつ復活場所のＨＤＤ５に記録した例を挙げたが、図７に示すコンテンツオートダビング処理のステップＳ５ａや、図８に示すコンテンツムーブ処理のステップＳ１４ａのように、コピーワンスコンテンツのダビング属性情報をＨＤＤ５に代えて、メモリインタフェイス７により外部メモリ３０に記録するようにしてもよい。図７および図８中、図３および図４と同一ステップについては同一符号を付している。
【００３４】
図７のコンテンツオートダビング処理または図８のコンテンツムーブ処理を実行した後のコンテンツ復活処理は、図９に示す手順で実行する。図９中、図５と同一または対応するステップについては同一符号を付している。図９のコンテンツ復活処理を開始して、前述したようにステップＳ２１〜Ｓ２３およびＳ２５を経た後、制御部１はステップＳ２６で、削除対象のコピーワンスコンテンツとダビング属性情報が一致する復活対象のコピーワンスコンテンツをＨＤＤ５のコンテンツ移動領域５ｃから検索する。このとき、制御部１は、メモリインタフェイス７により外部メモリ３０からダビング属性情報を読み出して、該ダビング属性情報と光ディスク２０から読み出した削除対象のコピーワンスコンテンツのダビング属性情報とが一致するか否かを確認する。そして、ダビング属性情報を記録した外部メモリ３０が記録再生装置１０に装着されていない場合は、ダビング属性情報を外部メモリ３０から読み出せないため、制御部１は、復活対象のコピーワンスコンテンツがＨＤＤ５のコンテンツ移動領域５ｃに無いと判断し（ステップＳ２７：ＮＯ）、処理を終了する。また、ダビング属性情報を記録した外部メモリ３０が記録再生装置１０に装着されていて、該外部メモリ３０から読み出したダビング属性情報と、光ディスク２０から読み出した削除対象のコピーワンスコンテンツのダビング属性情報とが一致しない場合も、制御部１は、復活対象のコピーワンスコンテンツがＨＤＤ５のコンテンツ移動領域５ｃに無いと判断し（ステップＳ２７：ＮＯ）、処理を終了する。
【００３５】
一方、外部メモリ３０と光ディスク２０から読み出したダビング属性情報が一致した場合は、制御部１は、光ディスク２０から削除したコピーワンスコンテンツと同一の復活対象のコピーワンスコンテンツがＨＤＤ５のコンテンツ移動領域５ｃに有ると判断する（ステップＳ２７：ＹＥＳ）。そして、制御部１は、該外部メモリ３０から読み出したダビング属性情報に含まれる復活対象のコピーワンスコンテンツの情報の記録位置情報に基づいて、ＨＤＤ５において復活対象のコピーワンスコンテンツの情報をコンテンツ移動領域５ｃからコンテンツ記録領域５ｂへ移動する（ステップＳ２８）。さらに、制御部１は、復活対象のコピーワンスコンテンツのダビング属性情報を外部メモリ３０から削除し（ステップＳ２９ａ）、処理を終了する。
【００３６】
また上記以外に、図１０に示すコンテンツオートダビング処理のステップＳ５ｂや、図１１に示すコンテンツムーブ処理のステップＳ１４ｂのように、コピーワンスコンテンツのダビング属性情報をＨＤＤ５と外部メモリ３０に記録するようにしてもよい。図１０および図１１中、図３および図４と同一ステップについては同一符号を付している。
【００３７】
図１０のコンテンツオートダビング処理または図１１のコンテンツムーブ処理を実行した後のコンテンツ復活処理は、図１２に示す手順で実行する。図１２中、図５と同一または対応するステップについては同一符号を付している。図１２のコンテンツ復活処理を開始して、前述したようにステップＳ２１〜Ｓ２３およびＳ２５を経た後、制御部１はステップＳ２６で、削除対象のコピーワンスコンテンツとダビング属性情報が一致する復活対象のコピーワンスコンテンツをＨＤＤ５のコンテンツ移動領域５ｃから検索する。このとき、制御部１は、外部メモリ３０およびＨＤＤ５からダビング属性情報を読み出し、該ダビング属性情報と光ディスク２０から読み出した削除対象のコピーワンスコンテンツのダビング属性情報とが一致するか否かを確認する。そして、外部メモリ３０とＨＤＤ５から読み出したダビング属性情報のいずれか一方が、光ディスク２０から読み出したダビング属性情報と一致した場合に、または外部メモリ３０とＨＤＤ５から読み出したダビング属性情報のいずれもが、光ディスク２０から読み出したダビング属性情報と一致した場合に、制御部１は、復活対象のコピーワンスコンテンツがＨＤＤ５のコンテンツ移動領域５ｃに有ると判断する（ステップＳ２７：ＹＥＳ）。そして、制御部１は、ＨＤＤ５において復活対象のコピーワンスコンテンツの情報をコンテンツ移動領域５ｃからコンテンツ記録領域５ｂへ移動し（ステップＳ２８）、復活対象のコピーワンスコンテンツのダビング属性情報をＨＤＤ５と外部メモリ３０から削除して（ステップＳ２９ｂ）、処理を終了する。
【００３８】
以上によると、コピーワンスコンテンツの情報をＨＤＤ５から光ディスク２０へダビング（オートダビングまたはムーブ）する際に、該コピーワンスコンテンツの情報がＨＤＤ５から削除されずに、ＨＤＤ５のユーザアクセス可能なコンテンツ記録領域５ｂからユーザアクセス不可能なコンテンツ移動領域５ｃに移動されて、ＨＤＤ５に保留された状態となる。このため、その後該光ディスク２０に記録されたコピーワンスコンテンツの情報が劣化しても、該コピーワンスコンテンツの情報を光ディスク２０から削除することで、該コピーワンスコンテンツとダビング属性情報が一致する同一のコピーワンスコンテンツの情報がＨＤＤ５のコンテンツ移動領域５ｃからコンテンツ記録領域５ｂに移動されて、該コピーワンスコンテンツの情報をＨＤＤ５に確実に視聴可能に復活させることができる。
【００３９】
また、ユーザがアクセスして視聴可能なコピーワンスコンテンツの情報は、ＨＤＤ５から光ディスク２０へダビングしたときは光ディスク２０に記録されたものだけになり、光ディスク２０へダビングする前または光ディスク２０から削除した後はＨＤＤ５のコンテンツ記録領域５ｂに記録されたものだけになるというように、常に１つになる。このため、コピーワンスコンテンツの著作権に抵触することはなく、コピーワンスコンテンツの情報が不正に複数コピーされるのを防止することができる。
【００４０】
また、コピーワンスコンテンツの情報をＨＤＤ５から光ディスク２０へダビングする際に、該コピーワンスコンテンツのダビング属性情報として、より多くの種類のコピーワンスコンテンツの識別情報をＨＤＤ５や外部メモリ３０に記録することで、光ディスク２０からコピーワンスコンテンツを削除する際に、該削除対象のコピーワンスコンテンツとＨＤＤ５のコンテンツ移動領域５ｃに移動されたコピーワンスコンテンツの各識別情報の一致を確認して、同一性をより厳しく正確に判断することができる。
【００４１】
また、コピーワンスコンテンツの情報をＨＤＤ５から光ディスク２０へダビングする際に、該コピーワンスコンテンツのダビング属性情報として、該コピーワンスコンテンツの識別情報とダビング先の光ディスク２０の識別情報とを、ＨＤＤ５や外部メモリ３０に記録することで、光ディスク２０からコピーワンスコンテンツを削除する際に、該削除対象のコピーワンスコンテンツとＨＤＤ５のコンテンツ移動領域５ｃに移動されたコピーワンスコンテンツの識別情報とダビング先の識別情報の一致を確認して、同一性をより厳しく正確に判断することができる。
【００４２】
また、コピーワンスコンテンツの情報をＨＤＤ５から光ディスク２０へダビングする際に、コピーワンスコンテンツのダビング属性情報を、ＨＤＤ５と外部メモリ３０の少なくとも一方に記録することで、光ディスク２０からコピーワンスコンテンツを削除する際に、該光ディスク２０に記録された削除対象のコピーワンスコンテンツのダビング属性情報と、ＨＤＤ５および外部メモリ３０に記録されたダビング属性情報の少なくとも一方または両方の一致を確認して、削除対象のコピーワンスコンテンツとＨＤＤ５のコンテンツ移動領域５ｃに移動されたコピーワンスコンテンツの同一性を判断することができる。
【００４３】
また、光ディスク２０に記録されたダビング属性情報と、外部メモリ３０に記録されたダビング属性情報の一致を確認して、削除対象のコピーワンスコンテンツとＨＤＤ５のコンテンツ移動領域５ｃに移動されたコピーワンスコンテンツの同一性を判断する場合は、削除対象のコピーワンスコンテンツのダビング属性情報を記録した外部メモリ３０を装着したときにのみ、同一のコピーワンスコンテンツの情報をＨＤＤ５に確実に視聴可能に復活させることができる。つまり、外部メモリ３０がコピーワンスコンテンツのＨＤＤ５への復活の鍵となるので、該外部メモリ３０を有していない他人によって勝手にコピーワンスコンテンツがＨＤＤ５に復活させられて視聴されるのを防止し、該コピーワンスコンテンツの機密性を高めることが可能となる。
【００４４】
また、光ディスク２０に記録された削除対象のコピーワンスコンテンツのダビング属性情報と、ＨＤＤ５および外部メモリ３０に記録されたダビング属性情報のいずれかとの一致を確認して、削除対象のコピーワンスコンテンツとＨＤＤ５のコンテンツ移動領域５ｃに移動されたコピーワンスコンテンツの同一性を判断する場合は、ＨＤＤ５と外部メモリ３０に記録されたダビング属性情報の一方に消失（誤った削除や紛失）、改竄、または破壊等の不具合が生じても、削除対象のコピーワンスコンテンツと同一のコピーワンスコンテンツの情報をＨＤＤ５に確実に視聴可能に復活させることができる。
【００４５】
さらに、光ディスク２０に記録された削除対象のコピーワンスコンテンツのダビング属性情報と、ＨＤＤ５および外部メモリ３０に記録されたダビング属性情報の全ての一致を確認して、削除対象のコピーワンスコンテンツとＨＤＤ５のコンテンツ移動領域５ｃに移動されたコピーワンスコンテンツの同一性を判断する場合は、該判断をより一層厳重でかつ正確なものにすることができる。
【００４６】
本発明は、以上の実施形態以外にも種々の形態を採用することができる。例えば、以上の実施形態では、デジタルハイビジョン放送のテレビ番組のコピーワンスコンテンツを、ＨＤＤ５から光ディスク２０にダビングし、光ディスク２０から削除してＨＤＤ５に復活させる例を挙げているが、本発明はこれのみに限定するものではない。これ以外に、例えば他のＡＶ機器からケーブル等を介して入力されたまたはインターネット等を介して配信された映画や音楽のコピーワンスコンテンツを、ＨＤＤから光ディスクにダビングし、光ディスクから削除してＨＤＤに復活させるようにしてもよい。
【００４７】
また、以上の実施形態では、第１の記録媒体が記録再生装置１０の本体に内蔵されたＨＤＤ５であり、第２の記録媒体が記録再生装置１０の本体に内蔵された光ディスクドライブに装着される光ディスク２０であり、第３の記録媒体が記録再生装置１０の本体に装着される外部メモリ３０である例を挙げているが、本発明はこれのみに限定するものではない。これ以外に、第１の記録媒体としては、例えば記録再生装置の本体に外付けされたＨＤＤや、記録再生装置の本体に内蔵されたメモリＩＣチップ等を用いてもよい。また、第２の記録媒体としては、例えば記録再生装置の本体に内蔵または外付けされた光ディスクドライブに装着される大容量の書き換え型の光ディスクや、同本体に内蔵または外付けされたカードリーダライタに装着されるメモリカードやカード型ＨＤＤ等を用いてもよい。さらに、第３の記録媒体としては、例えば記録再生装置の本体に内蔵または外付けされたカードリーダライタに装着される各種のメモリカードやカード型ＨＤＤや、同本体に内蔵または外付けされたディスクドライブに装着される磁気ディスクや光磁気ディスク等を用いてもよい。
【００４８】
さらに、以上の実施形態では、ＨＤＤレコーダと光ディスクレコーダと外部メモリリーダライタの機能を有する複合型のデジタルＡＶ機器から成る記録再生装置１０に本発明を適用した例を挙げているが、本発明は、例えばＨＤＤレコーダ、ＤＶＤレコーダ、ブルーレイディスクレコーダ、外部メモリリーダライタ、テレビ、オーディオレコーダ等の機能を１つまたは複数有するデジタルＡＶ機器から成る記録再生装置にも適用することができる。
【図面の簡単な説明】
【００４９】
【図１】記録再生装置のブロック図である。
【図２】ＨＤＤの記録領域を示す図である。
【図３】コンテンツオートダビング処理のフローチャートである。
【図４】コンテンツムーブ処理のフローチャートである。
【図５】コンテンツ復活処理のフローチャートである。
【図６】光ディスク識別情報記録処理のフローチャートである。
【図７】他のコンテンツオートダビング処理のフローチャートである。
【図８】他のコンテンツムーブ処理のフローチャートである。
【図９】他のコンテンツ復活処理のフローチャートである。
【図１０】他のコンテンツオートダビング処理のフローチャートである。
【図１１】他のコンテンツムーブ処理のフローチャートである。
【図１２】他のコンテンツ復活処理のフローチャートである。
【符号の説明】
【００５０】
１  制御部
５  ＨＤＤ
５ｂ  コンテンツ記録領域
５ｃ  コンテンツ移動領域
１０  記録再生装置
２０  光ディスク
３０  外部メモリ
【図１】
2008117454.tif 000003
【図２】
2008117454.tif 000004
【図３】
2008117454.tif 000005
【図４】
2008117454.tif 000006
【図５】
2008117454.tif 000007
【図６】
2008117454.tif 000008
【図７】
2008117454.tif 000009
【図８】
2008117454.tif 000010
【図９】
2008117454.tif 000011
【図１０】
2008117454.tif 000012
【図１１】
2008117454.tif 000013
【図１２】
2008117454.tif 000014